(57)【要約】【課題】使用形態に応じて適した起動方法を実行可能な投射型表示装置を提供する。【解決手段】投射型表示装置１００は、投射画像の状態を決める設定値を設定する状態設定手段と、投射型表示装置１００の使用形態を自動的に判定する自動判定手段３０と、自動判定手段３０の判定結果に応じて状態設定手段による初期化設定動作を変更する初期化設定手段２５とを有する。【選択図】図１
2013083823.tif 000002
【特許請求の範囲】
【請求項１】
投射画像の状態を決める設定値を設定する状態設定手段と、
投射型表示装置の使用形態を自動的に判定する自動判定手段と、
前記自動判定手段の判定結果に応じて前記状態設定手段による初期化設定動作を変更する初期化設定手段と、を有することを特徴とする投射型表示装置。
【請求項２】
前記使用形態は、前記投射型表示装置が常時設置型または移動型のいずれかで使用される形態であることを特徴とする請求項１に記載の投射型表示装置。
【請求項３】
前記初期化設定手段は、
前記投射型表示装置が前記常時設置型として使用されている場合、前記状態設定手段による前記初期化設定動作を行わないように制御し、
前記投射型表示装置が前記移動型として使用されている場合、前記状態設定手段による前記初期化設定動作を行うように制御することを特徴とする請求項２に記載の投射型表示装置。
【請求項４】
前記初期化設定手段は、
前記投射型表示装置が前記常時設置型として使用されている場合、フォーカス位置およびズーム位置の初期化を行わないように制御し、
前記投射型表示装置が前記移動型として使用されている場合、フォーカス位置、ズーム位置、台形補正、および、入力信号の選択の少なくとも一つを初期化するように制御することを特徴とする請求項３に記載の投射型表示装置。
【請求項５】
加速度検出手段を更に有し、
前記自動判定手段は、前記加速度検出手段により前記投射型表示装置の天地反転を検出することを特徴とする請求項１乃至４のいずれか１項に記載の投射型表示装置。
【請求項６】
前記投射型表示装置を常時設置型として使用するための工具取り付け部を更に有し、
前記自動判定手段は、前記工具取り付け部に工具が取り付けられているか否かに基づいて前記使用形態を判定することを特徴とする請求項１乃至４のいずれか１項に記載の投射型表示装置。
【請求項７】
前記投射型表示装置から前記投射画像の投射面までの距離を計測する測距手段を更に有し、
前記自動判定手段は、起動時および前回の電源遮断時における前記距離を比較することにより前記使用形態を判定することを特徴とする請求項１乃至４のいずれか１項に記載の投射型表示装置。
【請求項８】
前記投射型表示装置の振動を検出する振動検出手段を更に有し、
前記自動判定手段は、前記振動検出手段により検出された前記振動に基づいて前記使用形態を判定することを特徴とする請求項１乃至４のいずれか１項に記載の投射型表示装置。
【請求項９】
前記投射型表示装置に商用電源を供給するための接続部を更に有し、
前記自動判定手段は、前記接続部におけるプラグの挿入回数に基づいて前記使用形態を判定することを特徴とする請求項１乃至４のいずれか１項に記載の投射型表示装置。
【請求項１０】
前記投射型表示装置に設けられた操作手段と、
前記投射型表示装置の遠隔操作を行う遠隔操作手段と、を更に有し、
前記自動判定手段は、前記操作手段と前記遠隔操作手段との操作比率に基づいて前記使用形態を判定することを特徴とする請求項１乃至４のいずれか１項に記載の投射型表示装置。
【発明の詳細な説明】
【技術分野】
【０００１】
本発明は、投射型表示装置に関し、特に起動時の動作に関するものである。
【背景技術】
【０００２】
従来から、大会議室やホール等で使用される常時設置型、および、打ち合わせのたびに持ち運び設置する移動型の両方の使用形態に対応した投射型表示装置が知られている。投射型表示装置を移動型として使用する場合、使用毎に装置を設置しなおすために、装置を移動することが多い。また使用場所も異なることが多い。入力信号選択、投射レンズ設定、色設定などは設置環境に依存するため、移動型の投射型表示装置を設置するたびに投影サイズやフォーカス合わせ、入力選択、色調整を実施することが多い。一方、投射型表示装置を常時設置型として使用する場合、装置設置後の移動や設定変更はまれである。
【０００３】
特許文献１では、移動型として使用する場合の起動時の煩わしさを解消するため、起動時にフォーカス位置を自動的に設定する構成が開示されている。特許文献２では、環境光や壁色を検出して自動的に最適な色設定を行う構成が開示されている。特許文献３では、複数箇所での使用を想定して、使用環境に応じて設定される各種項目（ズーム比、フォーカス位置、色調整設定値など）を一括して記憶し、設置時にユーザの選択により一括設定を行う方法が開示されている。
【先行技術文献】
【特許文献】
【０００４】
【特許文献１】特開平４−３３８７０６号公報
【特許文献２】特開２００１−３２０７２５号公報
【特許文献３】特開２００５−３２８３４１号公報
【発明の概要】
【発明が解決しようとする課題】
【０００５】
しかしながら、特許文献１、２に開示された構成では、移動型として使用する場合には有効であるが、常時設置型として使用する場合には問題となる。例えば、複数台を合わせて投射を行うスタック投射やマルチスクリーン投射を行う場合、各表示装置のズーム、フォーカス位置合わせや色合わせは最初の設置時に人手によって厳密かつ高精度に行われるのが一般的である。このため、起動時にズーム位置、フォーカス位置の初期化や自動色調整を行うと、停止精度や補正精度により厳密には前回と同じ状態にならず、再度微調整作業が必要になる場合がある。
【０００６】
また、特許文献３に開示された構成では、移動型として使用する場合にユーザが設定する項目を減らすことができるが、設置のたびにユーザによる選択操作が必要である。また、想定された場所とは異なる場所で使用する場合にはこの利点が生かされない。
【０００７】
そこで本発明は、使用形態に応じて適した起動方法を実行可能な投射型表示装置を提供する。
【課題を解決するための手段】
【０００８】
本発明の一側面としての投射型表示装置は、投射画像の状態を決める設定値を設定する状態設定手段と、投射型表示装置の使用形態を自動的に判定する自動判定手段と、前記自動判定手段の判定結果に応じて前記状態設定手段による初期化設定動作を変更する初期化設定手段とを有する。
【０００９】
本発明の他の目的及び特徴は、以下の実施例において説明される。
【発明の効果】
【００１０】
本発明によれば、使用形態に応じて適した起動方法を実行可能な投射型表示装置を提供することができる。
【図面の簡単な説明】
【００１１】
【図１】実施例１における投射型表示装置のブロック図である。
【図２】実施例１における自動判定手段の内部構成図である。
【図３】実施例１における投射型表示装置の初期化処理を示すフローチャートである。
【図４】実施例１における別形態の自動判定手段の内部構成図である。
【図５】実施例１における別形態の投射型表示装置の初期化処理を示すフローチャートである。
【図６】実施例２、３における投射型表示装置のブロック図である。
【図７】実施例２における自動判定手段の内部構成図である。
【図８】実施例２における投射型表示装置の初期化処理を示すフローチャートである。
【図９】実施例３における自動判定手段の内部構成図である。
【図１０】実施例３における投射型表示装置の初期化処理を示すフローチャートである。
【図１１】実施例３における別形態の自動判定手段の内部構成図である。
【図１２】実施例３における別形態の自動判定手段の内部構成図である。
【図１３】実施例３における別形態の投射型表示装置の初期化処理を示すフローチャートである。
【発明を実施するための形態】
【００１２】
以下、本発明の実施例について、図面を参照しながら詳細に説明する。各図において、同一の部材については同一の参照番号を付し、重複する説明は省略する。
【実施例１】
【００１３】
まず、本発明の実施例１における投射型表示装置（プロジェクタ）について説明する。図１は、本実施例における投射型表示装置１００のブロック図である。
【００１４】
図１を参照して、まず、信号の流れについて説明する。複数の入力映像信号がセレクタ１０に入力され、所定の入力映像信号がセレクタ１０により選択されて出力される。続いて、選択された入力映像信号に対して、色処理回路１１によりＲＧＢゲインやマトリクス処理などの色処理が行われる。また、台形補正回路１２により補正量に応じた幾何学変換処理が行われる。入力映像信号に対してこのような各種処理が施された信号は、パネル駆動回路１３によりパネル駆動に適した信号体系に変換される。そして、映像信号がパネル１４上に表示される。レンズ駆動回路１５は、ズームレンズやフォーカスレンズなどのレンズ群を駆動させる回路であり、フォーカスやズームなどの動作を行う。セレクタ１０、色処理回路１１、台形補正回路１２、および、レンズ駆動回路１５は、投射画像の状態を決める設定値を設定する状態設定手段である。
【００１５】
自動セットアップ機能制御回路１６は、投射型表示装置１００の自動セットアップ機能を有する。自動セットアップ機能制御回路１６は、例えば、投射型表示装置１００の起動時に、セレクタ１０による入力選択、色処理回路１１による色バランス設定、および、台形補正回路１２による補正量設定を行うように状態設定手段を制御する。
【００１６】
ここで、自動セットアップ機能制御回路１６による自動セットアップ機能について説明する。自動セットアップ機能とは、電源投入後（起動時）、自動的に投射型表示装置１００の設置状況を検出して最適な投射条件を設定する機能である。一例として、自動焦点調節機能、自動台形補正機能、自動スクリーン色補正機能、および、自動入力選択機能がある。
【００１７】
自動焦点調節機能は、測距センサ１９（測距手段）を用いて投射型表示装置１００からスクリーン（投射面）までの距離を計測し、その距離情報からスクリーン上（投射面上）で合焦するフォーカス位置を算出してレンズ駆動回路１５でフォーカスレンズを駆動する。自動台形補正機能は、傾斜センサ２０を用いて投射型表示装置１００の傾きを検出し、その傾き情報からスクリーン上で幾何学歪を発生させない幾何学補正量を算出し、台形補正回路１２にて所定の補正処理を行う。
【００１８】
自動スクリーン色補正機能は、カラーセンサ１８を用いてスクリーン上の色情報を取得し、その色情報からスクリーン上にてホワイトバランスが合うような色補正量を算出し、色処理回路１１にて補正処理を行う。自動入力選択機能は、入力検知手段２１にて複数種類の入力信号が入力されているか否かを検出し、その情報からセレクタ１０にて入力されている信号を優先的に選択するように処理を行う。
【００１９】
レンズ初期化制御回路１７は、電源投入後（起動時）のレンズエンコーダの位置を初期化するため、レンズ群の駆動制御を行う回路である。自動セットアップ機能制御回路１６およびレンズ初期化制御回路１７は、状態設定手段による初期化設定動作を制御する初期化設定手段２５を構成する。初期化設定手段２５は、後述のように、自動判定手段３０の判定結果に応じて状態設定手段による初期化設定動作を変更する。
【００２０】
自動判定手段３０は、投射型表示装置１００の使用形態を自動的に判定する。本実施例において、使用形態とは、投射型表示装置１００が常時設置型として使用される形態か、または、移動型（モバイル型）として使用される形態のいずれかである。自動判定手段３０は、その判定結果に応じて、自動セットアップ機能制御回路１６およびレンズ初期化制御回路１７（初期化設定手段）による状態設定手段の制御を後述のように変更する。
【００２１】
次に、図２を参照して、本実施例における自動判定手段３０について詳述する。図２は、自動判定手段３０の内部構成図である。本実施例では、投射型表示装置１００の天地反転（天地判定状態）を検出して使用形態（常時設置型または移動型）を判定している。自動判定手段３０は、加速度センサ４０（加速度検出手段）を有し、加速度検出軸を重力方向に合わせることで天地反転状態を検出することができる。本実施例では、投射型表示装置１００の本体を天地反転した場合に加速度検出軸の正方向が重力方向になるように設定されている場合について説明する。
【００２２】
自動判定手段３０のセンサ値解析部４１は、加速度センサ４０の出力値を解析し、投射型表示装置１００が天地反転状態である否かを判定する。センサ値解析部４１は、投射型表示装置１００が天地反転状態であると判定した場合、使用形態判定部４２は投射型表示装置１００の使用形態を常時設置型であると判定する。一方、センサ値解析部４１は、投射型表示装置１００が天地反転状態でないと判定した場合、使用形態判定部４２は、投射型表示装置１００の使用形態を移動型（モバイル型）と判定する。なお、加速度センサ４０に限定されることなく他の検出手段を用いて天地反転状態を検出することもできる。また、加速度センサ４０は傾斜センサ２０を兼用するものであってもよい。
【００２３】
続いて、図３を参照して、本実施例における投射型表示装置１００の初期化処理について説明する。図３は、投射型表示装置１００の初期化処理を示すフローチャートである。まずステップＳ１００において、投射型表示装置１００の電源（ＡＣ電源）がオンになる。そしてステップＳ１０１において、センサ値解析部４１は加速度センサ４０の値ＶＧを読み出す。続いてステップＳ１０２において、センサ値解析部４１は、加速度センサ４０の値ＶＧに基づいて投射型表示装置１００が天地反転状態であるか否かを判定する。ＶＧ＝１ｇ±αが成立する場合、投射型表示装置１００は天地反転状態である。一方、ＶＧ＝−１ｇ±αが成立する場合、投射型表示装置１００は天地非反転状態である。ここで、１ｇは重力加速度、αは加速度センサ４０の誤差や設置傾きを考慮した値である。
【００２４】
ステップＳ１０２にて天地反転状態であると判定された場合、使用形態判定部４２は使用形態を常時設置型と判定し、ステップＳ１０３に進む。ステップＳ１０３では、自動セットアップ機能フラグをオフ、レンズ初期化フラグをオフにそれぞれ設定する。一方、ステップＳ１０２にて天地非反転であると判定された場合、使用形態判定部４２は使用形態を移動型と判定し、ステップＳ１０４に進む。ステップＳ１０４では、自動セットアップ機能フラグをオン、レンズ初期化フラグをオンにそれぞれ設定する。
【００２５】
続いてステップＳ１０５において、起動命令の待ち状態となる。起動命令とは、操作パネルやリモコンの投射開始ボタンなどを介して指令される開始命令である。投射型表示装置１００は起動命令を受けると、ステップＳ１０６に進む。ステップＳ１０６では、ステップＳ１０３またはステップＳ１０４にて設定された自動セットアップ機能フラグおよびレンズ初期化フラグに応じて（自動判定手段３０の判定結果に応じて）、起動シーケンス処理（初期化設定）を行う。本実施例において、天地反転状態（常時設置型）の場合には自動セットアップ機能およびレンズ初期化（初期化設定動作）を実行しない。一方、天地非反転状態（移動型）の場合には自動セットアップ機能およびレンズ初期化（初期化設定動作）を実行する。
【００２６】
以上のように、本実施例の初期化設定手段は、自動判定手段３０の判定結果（天地反転状態または天地非反転状態）に応じて状態設定手段による初期化設定動作を変更する。このため投射型表示装置１００は、仕様形態（常時設置型または移動型）に応じて適した初期化設定動作を行うことができる。
【００２７】
次に、図４を参照して、本実施例の別形態である自動判定手段３０ａについて説明する。図４は、自動判定手段３０ａの内部構成図である。自動判定手段３０ａは、上述の自動判定手段３０と代替可能である。自動判定手段３０ａは、投射型表示装置１００を常時設置型として使用するための工具取り付け部４５を有する。工具取り付け部４５は、例えば、投射型表示装置１００の本体を天井に取り付けるための天吊り金具取り付け部である。検出スイッチ４６は、工具取り付け部４５に工具が取り付けられているか否かを判定する。使用形態判定部４７は、検出スイッチ４６の状態に応じて、投射型表示装置１００の使用形態が常時設置型または移動型のいずれであるかを判定する。
【００２８】
続いて、図５を参照して、本実施例における別形態の（自動判定手段３０ａを備えた）投射型表示装置の初期化処理について説明する。図５は、別形態の投射型表示装置の初期化処理を示すフローチャートである。まずステップＳ２００において、投射型表示装置１００の電源（ＡＣ電源）がオンになる。そしてステップＳ２０１において、使用形態判定部４７は、検出スイッチ４６の状態を読み出す。続いてステップＳ２０２において、使用形態判定部４７は、検出スイッチ４６の状態に基づいて工具取り付け部４５に工具が取り付けられているか否かを判定する。
【００２９】
ステップＳ２０２にて工具取り付け部４５に工具が取り付けられていると判定された場合、使用形態判定部４７は使用形態を常時設置型と判定し、ステップＳ２０３に進む。ステップＳ２０３では、自動セットアップ機能フラグをオフ、レンズ初期化フラグをオフにそれぞれ設定する。一方、ステップＳ２０２にて工具取り付け部４５に工具が取り付けられていないと判定された場合、使用形態判定部４７は使用形態を移動型と判定し、ステップＳ２０４に進む。ステップＳ２０４では、自動セットアップ機能フラグをオン、レンズ初期化フラグをオンにそれぞれ設定する。
【００３０】
続いてステップＳ２０５において、起動命令の待ち状態となる。投射型表示装置は起動命令を受けると、ステップＳ２０６に進む。ステップＳ２０６では、ステップＳ２０３またはステップＳ２０４にて設定された自動セットアップ機能フラグおよびレンズ初期化フラグに応じて（自動判定手段３０ａの判定結果に応じて）、起動シーケンス処理を行う。本実施例において、天地反転状態（常時設置型）の場合には自動セットアップ機能およびレンズ初期化（初期化設定動作）を実行しない。一方、天地非反転状態（移動型）の場合には自動セットアップ機能およびレンズ初期化（初期化設定動作）を実行する。
【００３１】
以上のように、本実施例の初期化設定手段は、自動判定手段３０ａの判定結果（工具取り付け部に工具が取り付けられているか否か）に応じて状態設定手段による初期化設定動作を変更する。このため、本形態の投射型表示装置でも、仕様形態（常時設置型または移動型）に応じて適した初期化設定動作を行うことができる。
【実施例２】
【００３２】
次に、本発明の実施例２における投射型表示装置（プロジェクタ）について説明する。図６は、本実施例における投射型表示装置１００ａのブロック図である。投射型表示装置１００ａは、自動判定手段１３０および不揮発性メモリ１３１（記憶手段）を備える点で、実施例１の投射型表示装置１００とは異なる。自動判定手段１３０は、前回の電源遮断時における使用状態を不揮発性メモリ１３１に記憶し、起動時の状態と前回の電源遮断時の状態を比較して投射型表示装置１００ａの使用形態を判定する。なお、他の構成は実施例１と同様であるため、それらの説明は省略する。
【００３３】
続いて図７を参照して、本実施例の自動判定手段１３０について説明する。図７は、自動判定手段１３０の内部構成図である。本実施例では、投射型表示装置１００ａの起動時に、投射型表示装置１００ａからスクリーン（投射面）までの距離を計測し、その計測距離を前回の電源遮断時における距離と比較する。測距センサ５０（測距手段）は、起動時に投射型表示装置１００ａからスクリーン（投射面）までの距離を計測する。
【００３４】
状態ログ管理部５１は、測距センサ５０の出力値の管理、および、不揮発性メモリ１３１への書き込み、不揮発性メモリ１３１からの読み出しを行う。また状態ログ管理部５１は、前回使用時（前回の電源遮断時）の距離（距離情報）および現在（起動時）の距離（距離情報）を使用形態判定部５２に送信する。使用形態判定部５２は、両者の距離情報を比較することにより投射型表示装置１００ａの使用形態を判定する。具体的には、両者の距離の差が所定値以下である場合には、使用形態が常時設置型であると判定する。一方、両者の距離の差が所定値より大きい場合には、使用形態が移動型であると判定する。なお、測距センサ５０は自動セットアップ機能のために用いられる測距センサ１９と兼用してもよい。
【００３５】
続いて、図８を参照して、本実施例における投射型表示装置１００ａの初期化処理について説明する。図８は、投射型表示装置１００ａの初期化処理を示すフローチャートである。まずステップＳ３００において、起動命令により投射型表示装置１００ａが起動する。本実施例における起動は、実施例１のＡＣ電源をオンにすることではなく、操作パネルなどによる操作に基づく投射開始のことである。
【００３６】
そしてステップＳ３０１において、測距センサ５０を用いてスクリーン（投射面）までの距離Ｌｓｃｒを計測する。続いてステップＳ３０２において、状態ログ管理部５１は前回の使用時（前回の電源遮断時）の距離Ｌｓｃｒ＿ｐｒｅ（距離情報）があるか否かを判定する。前回の使用時の距離情報がある場合には、その距離情報を不揮発性メモリ１３１から読み出し、ステップＳ３０３に進む。一方、前回の使用時の距離情報がない場合には、ステップＳ３０６に進む。
【００３７】
ステップＳ３０３において、使用形態判定部５２は、距離の差ΔＬｓｃｒ＝｜Ｌｓｃｒ−Ｌｓｃｒ＿ｐｒｅ｜を算出する。距離の差ΔＬｓｃｒが所定の閾値ＴＨ＿Ｌｓｃｒ以下である場合、使用形態判定部５２は、前回の使用時から投射型表示装置１００ａが移動していない（距離に変化なし）と認識し、使用形態を常時設置型と判定する。一方、距離の差ΔＬｓｃｒが所定の閾値より大きい場合、前回の使用時から投射型表示装置１００ａが移動した（距離に変化あり、すなわち投射場所が異なる）と認識し、使用形態を移動型と判定する。ここで、所定の閾値ＴＨ＿Ｌｓｃｒは、投射型表示装置１００ａの本体が移動していないと判定される閾値であり、予め測距誤差を含む値を用いて設定される。
【００３８】
使用形態が移動型と判定された場合にはステップＳ３０４に進み、自動セットアップ機能フラグをオン、レンズ初期化フラグをオンにそれぞれ設定する。一方、使用形態が常時設置型と判定された場合にはステップＳ３０５に進み、自動セットアップ機能フラグをオフ、レンズ初期化フラグをオフにそれぞれ設定する。
【００３９】
次にステップＳ３０６では、ステップＳ３０４またはステップＳ３０５で設定された自動セットアップ機能フラグおよびレンズ初期化フラグに応じて起動シーケンス処理を行う。本実施例では、使用形態が移動型と判定された場合には自動セットアップ機能およびレンズ初期化（初期化設定動作）を行う。一方、使用形態が常時設置型と判定された場合には自動セットアップ機能およびレンズ初期化（初期化設定動作）を行わない。続いてステップＳ３０７では、ステップＳ３０１にて計測した距離Ｌｓｃｒを、今回の使用時における距離として不揮発性メモリ１３１に保存する。そしてステップＳ３０８において、終了命令の待ち状態となる。終了命令あるまで通常の投射状態を継続する。終了命令があった場合にはステップＳ３０９に進み、図８に示される初期化処理を終了する。
【００４０】
本実施例によれば、測距センサを用いて起動時に投射型表示装置からスクリーンまでの距離を計測することで使用形態の自動判定を行い、使用形態に適した初期化設定動作を実行することができる。
【実施例３】
【００４１】
次に、本発明の実施例３における投射型表示装置（プロジェクタ）について説明する。実施例２の自動判定手段１３０は、投射型表示装置１００ａからスクリーンまでの距離を利用して使用形態を判定しているが、本実施例では、加速度センサを用いて投射型表示装置１００ａの振動を検出して使用形態を判定する。投射型表示装置１００ａを移動型として使用する場合、使用毎の設置に伴って起動後に投射画像のサイズや位置合わせなどで投射型表示装置１００ａの本体を移動させることが一般的に行われる。本実施例は、このときに生じる振動を検出して使用形態を判定する。本実施例は、自動判定手段の内部構成が変更されている点で実施例２と異なる。他の構成は実施例２と同様であるため、それらの説明は省略する。
【００４２】
図９を参照して、本実施例の自動判定手段１３０ａについて説明する。図９は、自動判定手段１３０ａの内部構成図である。図９において、加速度センサ６０は投射型表示装置本体の振動を検出し、その振動情報をセンサ値解析部／振動状態ログ管理部６１において過去の振動状態をログとして管理する。使用形態判定部６２は、センサ値解析部／振動状態ログ管理部６１からの振動情報に基づいて使用形態を判定する。
【００４３】
続いて、図１０を参照して、本実施例における投射型表示装置１００ａの初期化処理について説明する。図１０は、投射型表示装置１００ａの初期化処理を示すフローチャートである。まずステップＳ４００において、投射型表示装置１００ａは起動命令により起動を開始する。そしてステップＳ４０１において、センサ値解析部／振動状態ログ管理部６１は前回の使用時までに得られた振動情報があるか否かを判定する。前回の使用時までに得られた振動情報がある場合には、その振動情報を不揮発性メモリ１３１から読み出す。
【００４４】
前回の使用時までに得られた振動情報がある場合にはステップＳ４０２に進む。一方、振動情報がない場合にはステップＳ４０５に進む。ステップＳ４０２において、使用形態判定部６２は、前回の使用時に振動の検出回数が所定値以上である場合、前回の使用時に投射型表示装置１００ａの本体を移動させたと認識し、使用形態を移動型と判定する。一方、振動の検出回数が所定値未満である場合、前回の使用時に投射型表示装置１００ａの本体を移動していないと認識し、使用形態を常時設置型と判定する。使用形態が移動型と判定された場合にはステップＳ４０３に進み、自動セットアップ機能フラグをオン、レンズ初期化フラグをオンにそれぞれ設定する。一方、使用形態が常時設置型と判定された場合にはステップＳ４０４に進み、自動セットアップ機能フラグをオフ、レンズ初期化フラグをオフにそれぞれ設定する。
【００４５】
次にステップＳ４０５では、ステップＳ４０３またはステップＳ４０４で設定された自動セットアップ機能フラグおよびレンズ初期化フラグに応じて起動シーケンス処理を行う。本実施例では、使用形態が移動型と判定された場合には自動セットアップ機能およびレンズ初期化（初期化設定動作）を行う。一方、使用形態が常時設置型と判定された場合には自動セットアップ機能およびレンズ初期化（初期化設定動作）を行わない。
【００４６】
続いてステップＳ４０６では、加速度センサ６０（振動検出手段）を用いて投射型表示装置１００ａの振動を検出する。加速度センサ６０は、振動状態が所定の振動であるか否かを検出する。所定の振動の検出の際には、投射型表示装置１００ａの設置時の画角合わせや移動などの人手によって発生する装置本体の振動のみを検出し、日常発生している微少振動は検出しないように適宜フィルタリングを行う。所定の振動を検出した場合にはステップＳ４０８に進む。一方、所定の振動を検出しない場合にはステップＳ４０９に進む。
【００４７】
ステップＳ４０８では、今回検出した振動情報を不揮発性メモリ１３１に保存する。本実施例では、振動回数を振動状態ログとして保存する。ステップＳ４０９では、終了命令の待ち状態となる。終了命令がない場合には再度ステップＳ４０６に進み、通常の投射状態を継続する。一方、終了命令があった場合にはステップＳ４１０に進み、図１０の初期化処理を終了する。なお本実施例では、加速度センサ６０を用いて振動を検出するが、これに限定されるものではなく、他の方法を用いて振動を検出してもよい。
【００４８】
また本実施例では、上述のように振動を検出する方法以外にも、他の方法で使用形態を判定してもよい。例えば、図１１に示されるように、自動判定手段１３０の状態ログ管理の別方法として、商用電源ケーブルの抜き差し回数を検出し、かつ、そのログを管理する方法を採用することができる。図１１は、本実施例における別形態の自動判定手段１３０ｂの内部構成図である。図１１において、商用電源ケーブル接続検出スイッチ７０は、投射型表示装置１００ａに商用電源を供給するための接続部に対する商用電源ケーブル（プラグ）の抜去回数（挿入回数）を検出する。抜去する瞬間には内部電源ユニットのコンデンサなどにより電荷が残っているため、抜去検出からメモリ書き込みの時間を高速に行うことにより、抜去回数のログを保存することができる。商用電源ケーブル接続状態ログ管理部７１は、抜去回数の不揮発性メモリ１３１への保存および不揮発性メモリ１３１からの読み出しを行う。使用形態判定部７２は、接続部におけるプラグの挿入回数に基づいて使用形態を判定する。例えば使用形態判定部７２は、抜去回数が所定値よりも多い場合には使用毎に商用電源ケーブルの抜き差しを行っていると推測し、使用形態を移動型と判定する。
【００４９】
また、図１２に示されるように、投射型表示装置１００ａの操作に関して、装置本体の操作パネルによる操作回数と、遠隔操作手段による操作回数を検出し、かつ、そのログを管理する方法を採用してもよい。図１２は、本実施例における別形態の自動判定手段１３０ｃの内部構成図である。図１２において、本体操作パネル検出部８０は、投射型表示装置１００ａの本体に設けられた操作ボタンによって電源オンやその他の操作が行われたか否かを検出する。一方、遠隔操作受信部８３は、シリアル通信やＬＡＮ経由などの遠隔コマンドで電源オンやその他の操作命令が行われたか否かを検出する。
【００５０】
操作命令方法管理／ログ管理部８１は、本体操作パネル検出部８０および遠隔操作受信部８３の情報に基づいて、装置本体の操作パネルと遠隔操作手段のいずれからの操作命令が多いかを管理する。また、その操作比率（操作比率情報）を不揮発性メモリ１３１へ保存し、また、不揮発性メモリ１３１から読み出す。使用形態判定部８２は、操作命令方法管理／ログ管理部８１からの操作比率情報に基づいて使用形態を判定する。例えば使用形態判定部８２は、装置本体の操作パネルによる操作が多い場合には使用形態を移動型と判定し、遠隔操作による操作が多い場合には使用形態を常時設置型と判定する。
【００５１】
続いて、図１３を参照して、本実施例における別形態の投射型表示装置の初期化処理について説明する。図１３は、別形態の投射型表示装置の初期化処理を示すフローチャートである。まずステップＳ５００において、起動命令により起動開始する。続いてステップＳ５０１において、操作命令方法管理／ログ管理部８１は前回までの操作命令方法情報（ログ）があるか否かを判定し、その操作命令方法情報がある場合には不揮発性メモリ１３１から読み出す。ステップＳ５０１において前回までの操作命令方法情報がある場合にはステップＳ５０２に進む。一方、前回までの操作命令方法情報がない場合にはステップＳ５０５に進む。
【００５２】
ステップＳ５０２において、使用形態判定部８２は、本体操作パネルによる操作割合が所定値よりも大きい場合、前回までの使用の際には本体パネルによる操作が多く行われたと認識し、使用形態が移動型であると判定する。一方、本体操作パネルによる操作割合が所定値以下、すなわち遠隔操作による操作割合が大きい場合、使用形態が常時設置型であると判定する。使用形態が移動型と判定された場合にはステップＳ５０３に進み、自動セットアップ機能フラグをオン、レンズ初期化フラグをオンにそれぞれ設定する。一方、使用形態が常時設置型と判定された場合にはステップＳ５０４に進み、自動セットアップ機能フラグをオフ、レンズ初期化フラグをオフにそれぞれ設定する。
【００５３】
次にステップＳ５０５では、ステップＳ５０３またはステップＳ５０４で設定された自動セットアップ機能フラグおよびレンズ初期化フラグに応じて起動シーケンス処理を行う。本実施例では、使用形態が移動型と判定された場合には自動セットアップ機能およびレンズ初期化（初期化設定動作）を行う。一方、使用形態が常時設置型と判定された場合には自動セットアップ機能およびレンズ初期化（初期化設定動作）を行わない。
【００５４】
続いてステップＳ５０６において、本体操作パネル検出部８０または遠隔操作受信部８３は、操作命令があったか否かを検出する。操作命令があるまでステップＳ５０６は繰り返され、操作命令があった場合にはステップＳ５０７に進む。ステップＳ５０７では、操作命令方法管理／ログ管理部８１は、ステップＳ５０６にて検出された操作命令が、本体操作パネル検出部８０または遠隔操作受信部８３のいずれにより検出されたかを判定する。
【００５５】
続いてステップＳ５０８では、ステップＳ５０７で判定された操作命令が本体操作パネルまたは遠隔操作のいずれからの命令かを、操作命令方法情報として不揮発性メモリ１３１に保存する。そしてステップＳ５０９において、終了命令の待ち状態となる。終了命令がない場合には再度ステップＳ５０６に進み、通常の投射状態を継続する。一方、終了命令があった場合にはステップＳ５１０に進み、図１３の初期化処理を終了する。
【００５６】
上記各実施例によれば、使用形態に応じて適した起動方法を実行可能な投射型表示装置を提供することができる。
【００５７】
以上、本発明の好ましい実施形態について説明したが、本発明はこれらの実施形態に限定されず、その要旨の範囲内で種々の変形及び変更が可能である。
【００５８】
上記各実施例では、投射型表示装置が移動型として使用されている場合、フォーカス位置、ズーム位置、台形補正、および、入力信号の選択の全てを初期化するように構成されているが、これに限定されるものではない。この場合、例えば、フォーカス、ズーム、台形補正、および、入力信号の選択の少なくとも一つを初期化するように構成してもよい。また上記各実施例では、投射型表示装置が常時設置型として使用されている場合、フォーカス、ズーム、台形補正、および、入力信号の選択の全てを初期化しないように構成されているが、これに限定されるものではない。この場合、例えば、フォーカスおよびズームのみ初期化を行わないように構成してもよい。
【符号の説明】
【００５９】
１１  色処理回路
１２  台形補正回路
１５  レンズ駆動回路
２５  初期化設定手段
３０  自動判定手段
１００  投射型表示装置
【図１】
2013083823.tif 000003
【図２】
2013083823.tif 000004
【図３】
2013083823.tif 000005
【図４】
2013083823.tif 000006
【図５】
2013083823.tif 000007
【図６】
2013083823.tif 000008
【図７】
2013083823.tif 000009
【図８】
2013083823.tif 000010
【図９】
2013083823.tif 000011
【図１０】
2013083823.tif 000012
【図１１】
2013083823.tif 000013
【図１２】
2013083823.tif 000014
【図１３】
2013083823.tif 000015